(57)【要約】  【課題】  映像信号の入力経路の異常の原因を把握することができる異常検出装置を提供する。  【解決手段】  カメラ２によって出力された映像信号から同期信号を検出する同期検出回路３１を有し、映像信号の入力経路から得られる第１の直流信号レベルが予め定められた第１の閾値より高いか否か、映像信号の入力経路から得られる第２の直流信号レベルが予め定められた第２の閾値より低いか否か、および同期検出回路３１によって同期信号が検出されたか否かに基づいて、映像信号の入力経路が正常状態、開放状態、天絡状態および地絡状態のうち何れの状態にあるかを判断する異常検出回路１１を備える。【選択図】  図２
2006324996.tif 000002
【特許請求の範囲】
【請求項１】
映像出力機器によって出力された映像信号から同期信号を検出する同期検出回路を有し、前記映像信号の入力経路から得られる第１の直流信号レベルが予め定められた第１の閾値より高いか否か、前記映像信号の入力経路から得られる第２の直流信号レベルが予め定められた第２の閾値より低いか否か、および前記同期検出回路によって前記同期信号が検出されたか否かに基づいて、前記映像信号の入力経路が正常状態、開放状態、天絡状態および地絡状態のうち何れの状態にあるかを判断する経路状態判断手段を備えたことを特徴とする異常検出装置。
【請求項２】
前記経路状態判断手段は、前記同期検出回路によって前記同期信号が検出された場合に、前記入力経路が正常状態にあると判断することを特徴とする請求項１に記載の異常検出装置。
【請求項３】
前記経路状態判断手段は、前記第１の直流信号レベルが前記第１の閾値より高い場合に、前記入力経路が天絡状態にあると判断することを特徴とする請求項１に記載の異常検出装置。
【請求項４】
前記経路状態判断手段は、前記第２の直流信号レベルが前記第２の閾値より低い場合に、前記入力経路が地絡状態にあると判断することを特徴とする請求項１に記載の異常検出装置。
【請求項５】
前記経路状態判断手段は、前記第１の直流信号レベルが前記第１の閾値より低く、前記第２の直流信号レベルが前記第２の閾値より高い場合、かつ、前記同期検出回路によって前記同期信号が検出されなかった場合に、前記入力経路が開放状態にあると判断することを特徴とする請求項１に記載の異常検出装置。
【請求項６】
前記経路状態判断手段は、前記映像信号の入力経路の電圧を分圧して前記第１の直流信号レベルおよび前記第２の直流信号レベルをそれぞれ得ることを特徴とする請求項１に記載の異常検出装置。
【請求項７】
前記経路状態判断手段は、前記第１の直流信号レベルが前記第１の閾値より高いか否か、前記第２の直流信号レベルが前記第２の閾値より低いか否か、および前記同期検出回路によって前記同期信号が検出されたか否かをそれぞれ表す信号のうち、何れか１つの信号と他の２つの信号との各論理和よりなる２つの信号によって前記映像信号の各状態を表すことを特徴とする請求項１に記載の異常検出装置。
【請求項８】
映像信号を出力する映像出力機器と、
映像信号を映像出力するディスプレイ装置と、
前記映像出力機器によって出力された映像信号を前記ディスプレイ装置に映像出力させる映像信号処理装置とを備えた映像システムにおいて、
前記映像信号処理装置は、前記映像出力機器によって出力された映像信号から同期信号を検出する同期検出回路を含み、前記映像信号の入力経路から得られる第１の直流信号レベルが予め定められた第１の閾値より高いか否か、前記映像信号の入力経路から得られる第２の直流信号レベルが予め定められた第２の閾値より低いか否か、および前記同期検出回路によって前記同期信号が検出されたか否かに基づいて、前記映像信号の入力経路が正常状態、開放状態、天絡状態および地絡状態のうち何れの状態にあるかを判断する経路状態判断手段を有することを特徴とする映像システム。
【発明の詳細な説明】
【技術分野】
【０００１】
本発明は、映像信号の入力経路の異常を検出する異常検出装置に関するものである。
【背景技術】
【０００２】
従来、映像信号の入力経路の異常を検出する異常検出装置としては、映像信号を表す所定ビット数のパラレル信号によって表される論理値が暗時出力値以下に設定された判定値を一定時間下回っているとき故障と判定することによって、回路構成を増大させることなくパラレル信号の入力経路のうち少なくとも一本が断線またはショートしてもこれを故障と診断できるようにしたものがある（例えば、特許文献１参照）。
【特許文献１】特開平８−１９００７号公報
【発明の開示】
【発明が解決しようとする課題】
【０００３】
しかしながら、従来の異常検出装置は、映像信号の入力経路の断線やショートを故障として診断できるものの、映像信号の入力経路の異常の原因が把握できないといった問題があった。
【０００４】
本発明は、従来の問題を解決するためになされたもので、映像信号の入力経路の異常の原因を把握することができる異常検出装置を提供することを目的とする。
【課題を解決するための手段】
【０００５】
本発明の異常検出装置は、映像出力機器によって出力された映像信号から同期信号を検出する同期検出回路を有し、前記映像信号の入力経路から得られる第１の直流信号レベルが予め定められた第１の閾値より高いか否か、前記映像信号の入力経路から得られる第２の直流信号レベルが予め定められた第２の閾値より低いか否か、および前記同期検出回路によって前記同期信号が検出されたか否かに基づいて、前記映像信号の入力経路が正常状態、開放状態、天絡状態および地絡状態のうち何れの状態にあるかを判断する経路状態判断手段を備えた構成を有している。
【０００６】
この構成により、本発明の異常検出装置は、第１の直流信号レベルが第１の閾値より高いか否か、第２の直流信号レベルが第２の閾値より低いか否か、および同期検出回路によって同期信号が検出されたか否かに基づいて映像信号の入力経路が正常状態、開放状態、天絡状態および地絡状態の何れの状態にあるかを判断するため、映像信号の入力経路の異常の原因を把握することができる。
【０００７】
なお、前記経路状態判断手段は、前記同期検出回路によって前記同期信号が検出された場合に、前記入力経路が正常状態にあると判断するようにしてもよい。
【０００８】
また、前記経路状態判断手段は、前記第１の直流信号レベルが前記第１の閾値より高い場合に、前記入力経路が天絡状態にあると判断するようにしてもよい。
【０００９】
また、前記経路状態判断手段は、前記第２の直流信号レベルが前記第２の閾値より低い場合に、前記入力経路が地絡状態にあると判断するようにしてもよい。
【００１０】
また、前記経路状態判断手段は、前記第１の直流信号レベルが前記第１の閾値より低く、前記第２の直流信号レベルが前記第２の閾値より高い場合、かつ、前記同期検出回路によって前記同期信号が検出されなかった場合に、前記入力経路が開放状態にあると判断するようにしてもよい。
【００１１】
また、前記経路状態判断手段は、前記映像信号の入力経路の電圧を分圧して前記第１の直流信号レベルおよび前記第２の直流信号レベルをそれぞれ得るようにしてもよい。
【００１２】
また、前記経路状態判断手段は、前記第１の直流信号レベルが前記第１の閾値より高いか否か、前記第２の直流信号レベルが前記第２の閾値より低いか否か、および前記同期検出回路によって前記同期信号が検出されたか否かをそれぞれ表す信号のうち、何れか１つの信号と他の２つの信号との各論理和よりなる２つの信号によって前記映像信号の各状態を表すようにしてもよい。
【発明の効果】
【００１３】
本発明は、映像信号の入力経路の異常の原因を把握することができるといった効果を有する異常検出装置を提供することができる。
【発明を実施するための最良の形態】
【００１４】
以下、本発明の実施の形態について、図面を参照して説明する。なお、本実施の形態においては、車両に設けられ、カメラや映像受信機等の映像出力機器によって出力された映像信号をディスプレイに表示させる映像信号処理装置に、本発明の異常検出装置を適用した例について説明する。
【００１５】
本発明の一実施の形態の異常検出装置を適用した映像信号処理装置を図１に示す。
【００１６】
映像信号処理装置１には、車両後方を撮影するカメラ２と、ナビゲーション装置、テレビ放送受信機およびＤＶＤ（Digital Versatile Disc）プレーヤ等の外部映像出力装置３と、映像信号処理装置１によって処理された映像信号を映像出力するディスプレイ装置４とが接続されている。
【００１７】
カメラ２は、映像を取り込むためのレンズおよびＣＣＤ（Charged Coupled Device）センサを有し、ＣＣＤセンサの検知信号から映像信号を生成するようになっている。ここで、映像信号は、コンポジット信号、ＲＧＢ信号、ＹＵＶ信号、またはその他のフォーマットのものでもよい。
【００１８】
ディスプレイ装置４は、ブラウン管や液晶ディスプレイ等の表示部を有し、映像信号を表示部に映像出力するようになっている。
【００１９】
映像信号処理装置１は、ＣＰＵ（Central Processing Unit）１０と、カメラ２から入力された映像信号の入力経路の異常を検出する異常検出回路１１と、カメラ２から入力された映像信号をバッファリングする第１の映像信号バッファ１２と、カメラ２から入力された映像信号から同期信号を分離する同期分離回路１３と、画像処理を行う画像処理装置１４と、外部映像出力装置３から入力された映像信号をバッファリングする第２の映像信号バッファ１５と、画像処理装置１４によって画像処理された映像信号と外部映像出力装置３から入力された映像信号とから１つの映像信号を選択する映像選択スイッチ１６と、映像選択スイッチ１６によって選択された映像信号を増幅するビデオアンプ１７と、ＤＲＡＭ（Dynamic Random Access Memory）１８と、フラッシュメモリ１９と、故障診断結果を記憶するためのダイアグメモリ２０と、映像信号処理装置１の各部およびカメラ２に電力を供給する図示しない電力供給部とを備えている。
【００２０】
なお、以下の説明において、映像信号の入力経路がカメラ２と正常に接続されている状態を「正常状態」といい、映像信号の入力経路が何処にも接続されていない状態を「開放状態」といい、映像信号の入力経路に電源電圧が印加されている状態を「天絡状態」といい、映像信号の入力経路がグランドに短絡している状態を「地絡状態」という。
【００２１】
ＣＰＵ１０は、図示しないＲＯＭ（Read Only Memory）等の記憶媒体に記憶されたプログラムをＤＲＡＭ１８に読み込み、ＤＲＡＭ１８に読み込まれたプログラムを実行することによって画像処理装置１４、映像選択スイッチ１６および電力供給部等の各部の動作を制御するようになっている。
【００２２】
異常検出回路１１は、本発明における経路状態判断手段を構成し、例えば、図２に示すように、抵抗Ｒ１乃至Ｒ５と、コンデンサＣ１と、コンパレータ３０と、同期検出回路３１と、ツェナーダイオードＺＤと、ダイオードＤ１乃至Ｄ４とを有している。
【００２３】
抵抗Ｒ１、ツェナーダイオードＺＤ、抵抗Ｒ２および抵抗Ｒ３は、順に直列に接続され、抵抗Ｒ１の一端に直流電圧ＶＣＣが印加され、抵抗Ｒ３の一端がグランドに接続されている。
【００２４】
コンデンサＣ１は、一端が抵抗Ｒ２に接続されたツェナーダイオードＺＤのカソードに接続され、他端がグランドに接続されている。これにより、交流成分が地絡されるため、映像信号処理装置１の入力インピーダンスは、抵抗Ｒ２と抵抗Ｒ３とが並列接続されたときの抵抗値と等しくなる。本実施の形態においては、カメラ２のインピーダンスと整合が取れるよう、抵抗Ｒ２および抵抗Ｒ３の各抵抗値は、映像信号処理装置１の入力インピーダンスが７５Ωになるように設定されている。
【００２５】
コンパレータ３０は、ツェナーダイオードＺＤのアノードに接続され、ツェナーダイオードＺＤのアノードにおける電圧値と、基準電圧値とを比較するようになっている。ここで、コンパレータ３０の出力電圧値は、ツェナーダイオードＺＤのアノードにおける電圧値が基準電圧値より低い場合には、例えば２．１Ｖ以上のハイレベル（以下単に「Ｈ」と記載する。）になり、ツェナーダイオードＺＤのアノードにおける電圧値が基準電圧値より高い場合には、例えば０．７Ｖ以下のローレベル（以下単に「Ｌ」と記載する。）になる。
【００２６】
ここで、コンパレータ３０の基準電圧値は、映像信号の入力経路が地絡状態にある場合にコンパレータ３０の出力電圧値がＨになり、他の状態にある場合にコンパレータ３０の出力電圧値がＬになるように定められている。
【００２７】
なお、コンパレータ３０の入力電圧値は、本発明における第２の直流信号レベルにあたり、コンパレータ３０の基準電圧値は、本発明における第２の閾値にあたる。
【００２８】
ツェナーダイオードＺＤは、映像信号の入力経路が天絡した場合に、コンパレータ３０がラッチアップを起こさないよう、コンパレータ３０の入力側等における電圧値が所定値以上にならないように保護するようになっている。
【００２９】
抵抗Ｒ４および抵抗Ｒ５は、直列に接続され、抵抗Ｒ４の一端が抵抗Ｒ２と抵抗Ｒ３との間に接続され、抵抗Ｒ５の一端がグランドに接続されている。ここで、抵抗Ｒ４および抵抗Ｒ５の各抵抗値は、映像信号の入力経路が天絡状態にある場合に抵抗Ｒ４と抵抗Ｒ５との間における電圧値がＨになり、他の状態にある場合に抵抗Ｒ４と抵抗Ｒ５との間における電圧値がＬになるように定められている。
【００３０】
なお、抵抗Ｒ４と抵抗Ｒ５との間における電圧値は、本発明における第１の直流信号レベルにあたり、ＨとＬとの間の任意の電圧値は、本発明における第１の閾値にあたる。
【００３１】
同期検出回路３１は、抵抗Ｒ２と抵抗Ｒ３との間に入力側が接続され、映像信号から同期信号を検出するようになっている。例えば、同期検出回路３１は、映像信号の同期信号部分を抽出し、抽出した同期信号部分を平滑化することにより、映像信号から同期信号を検出できている間は、出力電圧値がＨになり、映像信号から同期信号を検出できていない間は、出力電圧値がＬになるようになっている。
【００３２】
ダイオードＤ１のアノードは、コンパレータ３０の出力側に接続され、ダイオードＤ２およびダイオードＤ４の各アノードは、抵抗Ｒ４と抵抗Ｒ５との間に接続され、ダイオードＤ３のアノードは、同期検出回路３１の出力側に接続されている。また、ダイオードＤ１のカソードとダイオードＤ２のカソードは、ＯＲ（論理和）接続され、第１の異常検出信号（以下、「ＣＡＭＩＮＤ１」と記載する。）をＣＰＵ１０に出力するようになっている。一方、ダイオードＤ３のカソードとダイオードＤ４のカソードは、ＯＲ接続され、第２の異常検出信号（以下、「ＣＡＭＩＮＤ２」と記載する。）をＣＰＵ１０に出力するようになっている。
【００３３】
図１において、第１の映像信号バッファ１２は、カメラ２から入力された映像信号をバッファリングすると共に、ペデスタル（輝度の基準値）を固定するようになっている。
【００３４】
同期分離回路１３は、第１の映像信号バッファ１２にバッファリングされた映像信号から同期信号を取り出すようになっている。なお、ＣＰＵ１０は、同期分離回路１３によって取り出された同期信号の周期を監視し、同期信号の周期が規定の周期と異なる場合には、映像信号が異常であると判断するようになっている。
【００３５】
画像処理装置１４は、画像処理プロセッサ等のディジタル信号処理装置によって構成され、ＣＰＵ１０による制御に基づいて、第１の映像信号バッファ１２にバッファリングされた映像信号に俯瞰処理やガイドラインの描画処理等を施すようになっている。
【００３６】
ここで、俯瞰処理は、バンパー等の車両に近い位置の湾曲した部分の映像に直線処理を施す等して、カメラ２の位置よりも上方から撮影された擬似映像を作成する処理のことをいう。また、ガイドラインの描画処理は、映像に車両の進行方向や車両からの距離を示す情報を重ね書きする処理のことをいう。
【００３７】
第２の映像信号バッファ１５は、外部映像出力装置３から入力された映像信号をバッファリングすると共に、ペデスタルを固定するようになっている。
【００３８】
映像選択スイッチ１６は、ＣＰＵ１０による制御に基づいて、画像処理装置１４によって画像処理された映像信号と外部映像出力装置３から入力された映像信号とから１つの映像信号を選択するようになっている。
【００３９】
ビデオアンプ１７は、映像選択スイッチ１６によって選択された映像信号を増幅することにより、映像信号の信号レベルをディスプレイ装置４側で規定された信号レベルに調整するようになっている。
【００４０】
ＤＲＡＭ１８には、ＣＰＵ１０に実行させるプログラムに加えて、このプログラムを実行するＣＰＵ１０や画像処理装置１４によって演算処理時に利用されるデータが一時記憶される。また、フラッシュメモリ１９には、画像処理装置１４によって使用されるパラメータ等が記憶される。
【００４１】
ダイアグメモリ２０は、ＥＥＰＲＯＭ（Electrically Erasable Programmable Read-only Memory）等の不揮発の記憶媒体によって構成され、ダイアグメモリ２０には、異常検出回路１１等によって検出された異常の状態や検出時間等の履歴がＣＰＵ１０によって記憶される。
【００４２】
なお、ＣＰＵ１０は、外部の機器と通信する図示しないインターフェイス回路や着脱可能な記憶媒体に、ダイアグメモリ２０に記憶された情報を送信するようになっている。
【００４３】
電力供給部は、ＣＰＵ１０による制御に基づいて、車両の電源から供給された電力の電圧を降圧するなどして調整し、電圧を調整した電力を映像信号処理装置１の各部やカメラ２に供給するようになっている。また、電力供給部は、ＣＰＵ１０やカメラ２のラッチアップを防ぐため、ＣＰＵ１０を作動させない時には、ＣＰＵ１０やカメラ２に供給する電力を遮断するようになっている。
【００４４】
以上のように構成された映像信号処理装置１について、その動作を説明する。
【００４５】
まず、車両のイグニッション電源やアクセサリー電源が投入されると、電力供給部によって映像信号処理装置１の各部に電力が供給され、映像信号処理装置１の各部が作動する。
【００４６】
車両のバックギアが入っていない状態等のように運転手が後方の映像を必要としない場合には、外部映像出力装置３から入力された映像信号が映像選択スイッチ１６によって選択される。外部映像出力装置３から入力された映像信号は、第２の映像信号バッファ１５および映像選択スイッチ１６を介してビデオアンプ１７に入力される。
【００４７】
一方、車両のバックギアが入っている状態等のように運転手が後方の映像を必要とする場合には、電力供給部によってカメラ２に電力が供給され、カメラ２が作動すると共に、画像処理装置１４によって画像処理された映像信号が映像選択スイッチ１６によって選択される。
【００４８】
カメラ２によって入力された映像信号は、第１の映像信号バッファ１２を介して画像処理装置１４に入力され、画像処理装置１４によって画像処理が施される。画像処理装置１４によって画像処理が施された映像信号は、映像選択スイッチ１６を介してビデオアンプ１７に入力される。
【００４９】
このようにビデオアンプ１７に入力された映像信号は、ビデオアンプ１７によって増幅され、ディスプレイ装置４に出力され、ディスプレイ装置４によって映像出力される。
【００５０】
次に、異常検出回路１１の動作について図２を参照して詳細に説明する。なお、以下の説明においては、一例として、直流電圧ＶＣＣの電圧値を５Ｖとし、抵抗Ｒ１の抵抗値を１．５ｋΩとし、抵抗Ｒ２の抵抗値を８２Ωとし、抵抗Ｒ３の抵抗値を１ｋΩとし、抵抗Ｒ４の抵抗値を４．７ｋΩとし、抵抗Ｒ５の抵抗値を１０ｋΩとし、コンパレータ３０の基準電圧値を１．８Ｖとする。
【００５１】
映像信号の入力経路が正常状態の場合には、映像信号は、直流成分が分離されているため、コンパレータ３０に入力される信号は、電圧値がＶＣＣ×（Ｒ２＋Ｒ３）÷（Ｒ１＋Ｒ２＋Ｒ３）≒２．１Ｖとなる。このため、コンパレータ３０の出力電圧値は、入力信号の電圧値が基準電圧値より高いためＬになり、ダイオードＤ１のアノードにおける電圧値は、Ｌになる。
【００５２】
また、抵抗Ｒ２と抵抗Ｒ３との間の電圧は、ＶＣＣ×Ｒ３÷（Ｒ１＋Ｒ２＋Ｒ３）≒２．０Ｖになるため、抵抗Ｒ４と抵抗Ｒ５との間の電圧は、２．０Ｖ×Ｒ４÷（Ｒ４＋Ｒ５）≒０．６Ｖになる。したがって、ダイオードＤ２およびダイオードＤ４の各アノードにおける電圧値は、Ｌになる。
【００５３】
また、同期検出回路３１の出力電圧値は、同期検出回路３１が映像信号から同期信号を検出できるためＨになり、ダイオードＤ３のアノードにおける電圧値は、Ｈになる。
【００５４】
したがって、映像信号の入力経路が正常状態の場合には、ＣＡＭＩＮＤ１がＬになり、ＣＡＭＩＮＤ２がＨになる。
【００５５】
映像信号の入力経路が開放状態の場合には、ダイオードＤ１のアノードにおける電圧値は、正常状態と同様にＬになる。また、ダイオードＤ２およびダイオードＤ４の各アノードにおける電圧値は、正常状態と同様にＬになる。また、同期検出回路３１の出力電圧値は、同期検出回路３１が映像信号から同期信号を検出できないためＬになり、ダイオードＤ３のアノードにおける電圧値は、Ｌになる。
【００５６】
したがって、映像信号の入力経路が開放状態の場合には、ＣＡＭＩＮＤ１がＬになり、ＣＡＭＩＮＤ２がＬになる。
【００５７】
映像信号の入力経路が天絡状態の場合には、ダイオードＤ１のアノードにおける電圧値は、正常状態と同様にＬになる。また、天絡状態時に映像信号の入力経路に印加される電圧を９Ｖとすると、９Ｖ×Ｒ４÷（Ｒ４＋Ｒ５）≒２．９ＶになるためダイオードＤ２およびダイオードＤ４の各アノードにおける電圧値は、Ｈになる。また、同期検出回路３１の出力電圧値は、同期検出回路３１が映像信号から同期信号を検出できないためＬになり、ダイオードＤ３のアノードにおける電圧値は、Ｌになる。
【００５８】
したがって、映像信号の入力経路が天絡状態の場合には、ＣＡＭＩＮＤ１がＨになり、ＣＡＭＩＮＤ２がＨになる。
【００５９】
映像信号の入力経路が地絡状態の場合には、コンパレータ３０に入力される信号の電圧値は、ＶＣＣ×Ｒ２÷（Ｒ１＋Ｒ２）≒０．３Ｖとなる。このため、コンパレータ３０の出力電圧値は、入力信号の電圧値が基準電圧値より低いためＨになり、ダイオードＤ１のアノードにおける電圧値は、Ｈになる。
【００６０】
また、抵抗Ｒ２と抵抗Ｒ３との間における電圧値は、０Ｖになるため、抵抗Ｒ４と抵抗Ｒ５との間における電圧値も０Ｖになり、ダイオードＤ２およびダイオードＤ４の各アノードにおける電圧値は、Ｌになる。また、同期検出回路３１の出力電圧値は、同期検出回路３１が映像信号から同期信号を検出できないためＬになり、ダイオードＤ３のアノードにおける電圧値は、Ｌになる。
【００６１】
したがって、映像信号の入力経路が地絡状態の場合には、ＣＡＭＩＮＤ１がＨになり、ＣＡＭＩＮＤ２がＬになる。
【００６２】
このような本発明の一実施の形態の映像信号処理装置１は、映像信号の入力経路が正常状態、開放状態、天絡状態および地絡状態の各状態にある場合に、（ＣＡＭＩＮＤ１、ＣＡＭＩＮＤ２）が、それぞれ（Ｌ、Ｈ）（Ｌ、Ｌ）（Ｈ、Ｈ）（Ｈ、Ｌ）になるため、映像信号の入力経路の異常の原因を把握することができる。
【００６３】
なお、本実施の形態において、異常検出回路１１に入力される映像信号は、カメラ２から入力されるものとして説明したが、カメラ２に代えて、ナビゲーション装置、テレビ放送受信機およびＤＶＤプレーヤ等の他の映像出力機器から入力されるものでもよい。
【００６４】
また、図２において、異常検出回路１１は、ダイオードＤ２のアノードを抵抗Ｒ４と抵抗Ｒ５との間に接続するのに代えて、ダイオードＤ２のアノードをコンパレータ３０の出力側に接続するようにしてもよい。
【００６５】
また、異常検出回路１１は、ダイオードＤ４のアノードを抵抗Ｒ４と抵抗Ｒ５との間に接続するのに代えて、ダイオードＤ４のアノードを同期検出回路３１の出力側に接続するようにしてもよい。
【産業上の利用可能性】
【００６６】
以上のように、本発明にかかる異常検出装置は、映像信号の入力経路の異常の原因を把握することができるという効果を有し、例えば、映像信号の入力経路の異常を検出する異常検出装置等として有用である。
【図面の簡単な説明】
【００６７】
【図１】本発明の一実施の形態における映像信号処理装置のブロック図
【図２】本発明の一実施の形態における映像信号処理装置を構成する異常検出回路の例を示すブロック図
【符号の説明】
【００６８】
１  映像信号処理装置
２  カメラ
３  外部映像出力装置
４  ディスプレイ装置
１０  ＣＰＵ
１１  異常検出回路
１２  第１の映像信号バッファ
１３  同期分離回路
１４  画像処理装置
１５  第２の映像信号バッファ
１６  映像選択スイッチ
１７  ビデオアンプ
１８  ＤＲＡＭ
１９  フラッシュメモリ
２０  ダイアグメモリ
３０  コンパレータ
３１  同期検出回路
Ｒ１、Ｒ２、Ｒ３、Ｒ４、Ｒ５  抵抗
Ｃ１  コンデンサ
Ｄ１、Ｄ２、Ｄ３、Ｄ４  ダイオード
ＺＤ  ツェナーダイオード
【図１】
2006324996.tif 000003
【図２】
2006324996.tif 000004